(57)【要約】【課題】袋体が拡縮可能な洗濯用ネットにおいて、拡縮用ファスナの改良により袋体の保形性や柔軟性を好適化し、ファスナに起因するトラブルを解消して、使い勝手を向上させる。【解決手段】有底筒状の袋体２の中間部分に、拡縮用ファスナ６の開閉操作によって拡縮される拡縮部２４が設けられる。拡縮用ファスナ６は、拡縮部２４の上端及び下端に沿って袋体２の周面を一周する上下一対の拡縮用ファスナ半体６１、６１と、それらに係合する２個のスライダ４、４を備えた逆開きファスナである。２個のスライダ４、４から一方の半体６１の端部を抜き取ると両半体６１、６１同士が全長にわたって分離し、かつ、他方の半体６１から２個のスライダ４、４も分離可能になる。【選択図】  図１
2011234857.tif 000002
【特許請求の範囲】
【請求項１】
洗濯物を収容し得る有底筒状の袋体の上端に洗濯物を出し入れするための開口が設けられるとともに、該袋体の高さ方向における中間部分が、該袋体の周面に沿って取り付けられた拡縮用ファスナの開閉操作によって高さを拡縮させ得る拡縮部となされた洗濯用ネットにおいて、
前記拡縮用ファスナは、前記拡縮部の上端及び下端に沿って袋体の周面を一周するようにそれぞれ取り付けられた一対の拡縮用ファスナ半体と、それら両半体同士を開閉する２個のスライダとを備えた逆開きファスナであって、それら２個のスライダから一方の半体の端部を抜き取ると両半体同士がその全長にわたって分離し、かつ、他方の半体から２個のスライダも分離可能に構成されたことを特徴とする洗濯用ネット。
【請求項２】
請求項１に記載の洗濯用ネットにおいて、
拡縮部の上端に沿って拡縮用ファスナの外側を被覆するスカートフラップが設けられたことを特徴とする洗濯用ネット。
【請求項３】
請求項１又は２に記載の洗濯用ネットにおいて、
拡縮用ファスナのスライダに着脱式の引手が取り付けられたことを特徴とする洗濯用ネット。
【請求項４】
請求項１〜３のいずれか一項に記載の洗濯用ネットにおいて、
袋体の上端開口に出入口ファスナが取り付けられ、この出入口ファスナは、前記開口の両縁部に沿ってそれぞれ取り付けられた一対の出入口ファスナ半体と、それら両半体同士を開閉する２個のスライダとを備えた逆開きファスナであって、それら２個のスライダから一方の半体の端部を抜き取ると両半体同士がその全長にわたって分離し、かつ、他方の半体から２個のスライダも分離可能に構成されたことを特徴とする洗濯用ネット。
【請求項５】
請求項４に記載の洗濯用ネットにおいて、
出入口ファスナの両端部に、両出入口ファスナ半体同士を結合するサイドタブがそれぞれ取り付けられるとともに、それら各サイドタブに、出入口ファスナのスライダを被覆するカバーフラップが取り付けられたことを特徴とする洗濯用ネット。
【請求項６】
請求項４又は５に記載の洗濯用ネットにおいて、
出入口ファスナのスライダに着脱式の引手が取り付けられたことを特徴とする洗濯用ネット。
【発明の詳細な説明】
【技術分野】
【０００１】
本発明は、衣類を洗濯する際に用いる洗濯用ネットに関し、より詳細には、衣類を収容する袋体の大きさ（容積）を使い方に応じて変化させることのできる洗濯用ネットに関する。
【背景技術】
【０００２】
特許文献１には、袋体の大きさを拡縮可能にした洗濯用ネットが提案されている。図７（ａ）に示すように、この洗濯用ネット９は、略円筒状の包囲面９１と、該包囲面９１の上端及び下端にそれぞれ設けられた略円形の上底面９２及び下底面９３とを有し、内容物充填状態において略ドラム状をなすように形成されている。上底面９２には、該上底面９２を径方向に横断するスライド開閉式の出入口ファスナ９４が設けられ、この出入口ファスナ９４を開いて洗濯物が出し入れされる。
【０００３】
この洗濯用ネット９にあっては、包囲面９１の上側略半部が本体部９５、下側略半部が拡縮部９６となされており、拡縮部９６の外側周面にはスライド開閉式の拡縮用ファスナ９７が設けられている。そして、この拡縮用ファスナ９７の開閉操作により、拡縮部９６が高さ方向に拡縮される。
【０００４】
すなわち、拡縮部９６の上端（本体部９５と拡縮部９６との境界部分）には、側縁部に複数個のエレメント（務歯）を有する拡縮用ファスナ９７の半体（ファスナストリンガ）が、包囲面９１を周回するようにして取り付けられている。そして、これに対向し、拡縮部９６の下端（下底面９３の外周縁）にも、前記半体と互いに噛合可能な他方の半体が、包囲面９１を周回するようにして取り付けられている。これら両半体は、その始端側（ファスナを開く向きにスライダを摺動させる側）の延長部分が、両半体の噛合終端部（スライダがファスナを完全に閉じる位置）の内側を経由して包囲面９１に沿って延び、拡縮部９６の中間付近に向けて互いに等角度で漸近し、その会合部にて拡縮用ファスナ９７の噛合始端部（スライダがファスナを完全に開く位置）９８を形成している。そして、両半体に係合させたスライダ９９を、この噛合始端部９８から噛合終端部まで、包囲面９１の略一周半にわたって摺動させると、同図（ｂ）に示すように、拡縮用ファスナ９７がその全長にわたって閉じられ、下底面９３が本体部９５の下端に合体する。これにより、拡縮部９６が本体部９５の内側に畳み込まれ、袋体の大きさ（容積）が、約半分程度に縮小される。
【０００５】
このように、洗濯用ネット９の容積を拡縮可能にすれば、例えば介護・医療施設等で提供される洗濯サービス業務において、汚れた洗濯物を回収する段階では拡縮部９６を縮小しておいて洗濯物の詰め込み過ぎを防ぎ、洗濯時には拡縮部９６を拡張させて洗濯効率を高め、乾燥段階でも拡張状態のまま乾燥させる、という使い方をすることができる。つまり、洗濯用ネット９内に洗濯物を入れたまま、それを入れ替える必要なく洗濯・乾燥作業を一貫して行うことができるので、洗濯作業者の手間は大幅に軽減される。個々の洗濯用ネット９ごとに利用者を特定しておくことも可能になるので、利用者においては、自分の洗濯物が他人の洗濯物と混ざったり紛失したりする不安がなくなる、という利点も得られる。
【先行技術文献】
【特許文献】
【０００６】
【特許文献１】特開２００４−２４２８１８号公報
【発明の概要】
【発明が解決しようとする課題】
【０００７】
前記従来の拡縮可能な洗濯用ネット９は、袋体を拡縮させるための拡縮用ファスナ９７が、包囲面９１の略一周半にわたって取り付けられており、しかも、その始端側延長部分は拡縮部９６の中間付近に向けて互いに等角度で漸近して会合している。つまり、拡縮用ファスナ９７の実質的な延べ長さ寸法が大きいため、その開閉操作自体が面倒であることに加え、拡縮用ファスナ９７のごわつき（袋体よりも高い剛性）によって袋体の保形性や柔軟性が損なわれ、洗濯・乾燥作業の効率が低下するおそれがある。
【０００８】
また、前記従来の洗濯用ネット９は、袋体の外表面に出入口ファスナ９４や拡縮用ファスナ９７が露出するように形成されているので、それらの一部（特にスライダ９９等）が他の洗濯用ネットの網目に引っ掛かったり、洗濯槽内での衝突等によって摺動操作が困難になったり、あるいはスライダ９９の引手が外れてしまったりするおそれがある。
【０００９】
そこで本発明は、前記従来のように拡縮可能な洗濯用ネットにおいて、袋体を拡縮させるためのファスナ構造を改良することにより、袋体の保形性や柔軟性を好適化するとともに、上述のようなファスナの露出によるトラブルを解消して、全般的な使い勝手を向上させることを解決課題とするものである。
【課題を解決するための手段】
【００１０】
上記した目的を達成するため、本発明の洗濯用ネットは、洗濯物を収容し得る有底筒状の袋体の上端に洗濯物を出し入れするための開口が設けられるとともに、該袋体の高さ方向における中間部分が、該袋体の周面に沿って取り付けられた拡縮用ファスナの開閉操作によって高さを拡縮させ得る拡縮部となされた洗濯用ネットにおいて、前記拡縮用ファスナは、前記拡縮部の上端及び下端に沿って袋体の周面を一周するようにそれぞれ取り付けられた一対の拡縮用ファスナ半体と、それら両半体同士を開閉する２個のスライダとを備えた逆開きファスナであって、それら２個のスライダから一方の半体の端部を抜き取ると両半体同士がその全長にわたって分離し、かつ、他方の半体から２個のスライダも分離可能に構成されたことを特徴とする。
【００１１】
この構成によれば、袋体の中間部分に取り付けられる拡縮用ファスナの延べ長さ寸法が、袋体の周面の一周分に納まるので、拡縮用ファスナの開閉作業が従来よりも簡単になる。また、拡縮用ファスナを構成する両半体同士が、その全長にわたって完全に分離することにより、拡縮部の周面は袋体を構成する網材だけが連続する形状となって、洗濯・乾燥作業時における保形性や柔軟性が好適に保持され、作業効率も向上する。
【００１２】
また、拡縮用ファスナの分離によって拡縮用ファスナのスライダも分離可能になるので、洗濯・乾燥作業時、拡縮ファスナのスライダに他の洗濯用ネットが引っ掛かったり、スライダが洗濯時の衝撃等によって故障したりするなどのトラブルも防ぐことができる。
【００１３】
前記洗濯用ネットにおいては、拡縮部の上端に沿って拡縮用ファスナの外側を被覆するスカートフラップが設けられるのが好ましい。このようなスカートフラップを設けることにより、閉じられた状態の拡縮用ファスナに他の洗濯用ネット等が引っ掛かるのを防ぐことができる。また、拡縮用ファスナが分離されていて、その上側半体にスライダが係合されている状態では、そのスライダが被覆されることによって不用意に移動することも防ぎ易くなる。
【００１４】
前記洗濯用ネットにおいては、拡縮用ファスナのスライダに着脱式の引手が取り付けられるのが好ましい。これによれば、利用者に洗濯用ネットを預けて洗濯物を回収する際、拡縮部を縮小した状態で拡縮用ファスナのスライダから引手を取り外しておくという使い方ができるので、利用者が勝手に拡縮用ファスナを開いて洗濯物を詰め込み過ぎてしまうのを回避することができる。
【００１５】
さらに、本発明は、前記洗濯用ネットにおける袋体の上端開口に出入口ファスナが取り付けられ、この出入口ファスナは、前記開口の両縁部に沿ってそれぞれ取り付けられた一対の出入口ファスナ半体と、それら両半体同士を開閉する２個のスライダとを備えた逆開きファスナであって、それら２個のスライダから一方の半体の端部を抜き取ると両半体同士がその全長にわたって分離し、かつ、他方の半体から２個のスライダも分離可能に構成されたことを特徴とする。
【００１６】
出入口ファスナについても、このような構成とすれば、出入口ファスナのスライダが損傷したとき、そのスライダを簡単に取り外して交換したり、出入口ファスナに糸屑が絡み付いたとき、スライダを取り外してエレメントやスライダを清掃したりするのが容易になる。
【００１７】
前記洗濯用ネットにおいては、出入口ファスナの両端部に、両出入口ファスナ半体同士を結合するサイドタブがそれぞれ取り付けられるとともに、それら各サイドタブに、出入口ファスナのスライダを被覆するカバーフラップが取り付けられるのが好ましい。この構成におけるサイドタブは、両出入口ファスナ半体の端部間隔を適正に保持するとともに、スライダを移動させる際、出入口ファスナの端部を指先で摘み易くする。また、カバーフラップは、出入口ファスナの両端に寄せられたスライダを被覆して、洗濯・乾燥作業時に、スライダが引っ掛かったり損傷したりするトラブルを防ぐ。
【００１８】
前記洗濯用ネットにおいては、出入口ファスナのスライダにも着脱式の引手が取り付けられるのが好ましい。これによれば、洗濯・乾燥作業時にはスライダの引手を取り外しておくことができるので、洗濯・乾燥作業時に引手が引っ掛かったり損傷したりするトラブルも回避可能になる。
【発明の効果】
【００１９】
上述のように構成される本発明の洗濯用ネットによれば、袋体の中間部分に取り付けられる拡縮用ファスナの操作距離が袋体の周面一周分だけで済むので、袋体を拡縮する作業が従来よりも簡単になる。また、拡縮用ファスナを構成する半体同士が、その全長にわたって完全に分離し、拡縮部の周面は袋体を構成する網材だけが連続する形状になるので、洗濯・乾燥作業時における袋体全体の保形性や柔軟性が好適に保持され、作業効率も向上する。
【００２０】
また、拡縮用ファスナ及び出入口ファスナのスライダを被覆したり、スライダの引手を着脱式とすることにより、洗濯・乾燥作業時に、スライダや引手に他の洗濯用ネットが引っ掛かったり、スライダや引手が損傷したりするなどのトラブルを防ぐことができるとともに、洗濯物の回収から洗濯・乾燥に係る作業者や利用者の全般的な使い勝手を、従来よりも各段に向上させることができる。
【図面の簡単な説明】
【００２１】
【図１】本発明の実施形態に係る洗濯用ネットの全体構成を説明する斜視図であって、（ａ）は袋体を拡張した状態、（ｂ）は袋体を縮小した状態をそれぞれ示す。
【図２】図１に示した洗濯用ネットにおける丸囲み部分Ａの拡大断面図である。
【図３】図１に示した洗濯用ネットにおける出入口ファスナの構造及び使い方の説明図であって、（ａ）はファスナを閉じた状態、（ｂ）はファスナを開いて分離した状態、（ｃ）はファスナからスライダを抜き取った状態をそれぞれ示す。
【図４】図３に示した出入口ファスナにおける端部の拡大説明図であって、（ａ）はカバーフラップの第一実施形態、（ｂ）はカバーフラップの第二実施形態をそれぞれ示す。
【図５】図１に示した洗濯用ネットにおける拡縮用ファスナの構造及び使い方の説明図であって、（ａ）はファスナを閉じた状態、（ｂ）はファスナを開いて分離した状態、（ｃ）はファスナからスライダを抜き取った状態をそれぞれ示す。
【図６】出入口ファスナ及び拡縮用ファスナのスライダに取り付けられる着脱式引手の概略構造説明図であって、（ａ）はスライダに掛着される状態の上面形状、（ｂ）はスライダから離脱する状態の上面形状、（ｃ）は側面形状をそれぞれ示す。
【図７】特許文献１に開示された従来の構成に係る洗濯用ネットの全体構成を説明する斜視図であって、（ａ）は袋体を拡張した状態、（ｂ）は袋体を縮小した状態をそれぞれ示す。
【発明を実施するための形態】
【００２２】
以下、本発明の実施の形態について図を参照して説明する。図１に示すように、本発明の洗濯用ネット１は、洗濯物を収容し得る有底筒状の袋体２を用いて構成されており、この袋体２の上端に、洗濯物を出し入れするための開口が設けられている。
【００２３】
袋体２は、略円筒状又はこれに近似する多角筒状の包囲面２１と、包囲面２１の下端に縫合された略円形又はこれに近似する多角形状の下底面２２とを具備している。包囲面２１、下底面２２はいずれも、例えばポリエステル系繊維やポリアミド系繊維などの、耐水・耐薬品性に優れた強靱な合成繊維製網材を縫製して形成されている。例示形態に係る網材には、網目が六角形状をなすハニカムメッシュが採用されている。ハニカムメッシュは、網目が円形に近似した六角形状になるので、網糸の連結部に加わる力が分散されて破れにくくなるとともに、洗濯時に衣服から解れ出た糸屑などが網目の角に絡みにくくなる、といった利点を有する。
【００２４】
袋体２の包囲面２１と下底面２２とは、連続する網材を用いて一体的に縫製されてもよいが、例示形態にあっては包囲面２１と下底面２２を別体に成形し、下底面２２はハニカムメッシュの２枚積層構造としている。かかる構成により、下底面２２の剛性が包囲面２１の剛性よりも若干大きくなって、袋体２全体の保形性が向上し、洗濯・乾燥作業時に袋体２内で洗濯物が動き易くなる。
【００２５】
袋体２における上端の開口には、出入口ファスナ３が取り付けられている。図３及び図４に出入口ファスナ３の詳細を示す。この出入口ファスナ３は、両端いずれからでも開閉可能な、いわゆる逆開きファスナであって、一対の出入口ファスナ半体３１、３１と、それらを開閉する２個のスライダ４、４とを具備している。
【００２６】
各出入口ファスナ半体３１は、テープ（基布）の片側縁に複数個のエレメント（務歯）を取り付けて形成されている。テープの他側縁は、袋体２の上端開口に沿って略直線的に縫い付けられる。各出入口ファスナ半体３１におけるエレメント列の一端には、スライダ４のレール４１（図６参照）を通過し得る形状の蝶棒３２が取り付けられ、同エレメント列の他端には、スライダ４のレールを通過不能な形状の箱棒３３が取り付けられている。そして、一方の出入口ファスナ半体３１の箱棒３３が、他方の出入口ファスナ半体３１の蝶棒３２と対をなし、また、一方の出入口ファスナ半体３１の蝶棒３２が、他方の出入口ファスナ半体３１の箱棒３３と対をなすように、それぞれが互いに逆配置されている。
【００２７】
各スライダ４には、両出入口ファスナ半体３１、３１のエレメント列に係合してエレメント同士を噛合・分離させるＹ字状のレール４１が形成されている。また、スライダ４の背面に突設された柱部４２（図６参照）には、スライダ４を移動させるための引手５が取り付けられている。なお、例示形態に係る引手５は、スライダ４に簡単に着脱し得るようになっているが、その構成については後述する。
【００２８】
図３に示すように、逆開きファスナにおいては、２個のスライダ４、４が、レール４１の閉じる側（エレメント列同士を噛合させる側）を互いに対向させた、いわゆる尻合わせの向きで、両出入口ファスナ半体３１、３１に係合される。したがって、同図（ａ）に示すように、２個のスライダ４、４を互いに離反させ、それぞれを出入口ファスナ３の一端及び他端に移動させると、出入口ファスナ３は全閉となる。
【００２９】
また、同図（ｂ）に示すように、いずれか一方のスライダ４を出入口ファスナ３のいずれか一端に寄せて２個のスライダ４、４同士を当接させると、出入口ファスナ３の他端側が開く。例示形態においては、各出入口ファスナ半体３１、３１の両端に蝶棒３２と箱棒３３とが互いに逆配置されているので、２個のスライダ４、４が寄せられた当該一端において、一方（当該一端に蝶棒３２が取り付けられているほう：図示下側）の出入口ファスナ半体３１の端部を摘んで出入口ファスナ３の中央側へずらすと、当該半体３１の一端に取り付けられた蝶棒３２が両スライダ４、４のレール４１を通過して、当該半体３１が２個のスライダ４、４から抜き取られる。このとき、他方（図示上側）の出入口ファスナ半体３１の当該一端に取り付けられた箱棒３３は、２個のスライダ４、４が当該他方の半体３１から抜け出すのを防ぐストッパとして機能する。こうして、両出入口ファスナ半体３１、３１同士は、その全長にわたって完全に分離される。そして、２個のスライダ４、４は、他方（当該一端に箱棒３３が取り付けられているほう：図示上側）の半体３１に係合した状態で取り残される。
【００３０】
その状態から図３（ｃ）に示すように、２個のスライダ４、４を、それらが係合している他方（図示上側）の出入口ファスナ半体３１に沿わせて他端側へと移動させる。当該半体３１の他端に取り付けられているのはスライダ４、４のレール４１を通過可能な蝶棒３２であるから、２個のスライダ４、４は、その蝶棒３２から抜け出す。こうして、２個のスライダ４、４が、出入口ファスナ３から完全に分離される。２個のスライダ４、４を出入口ファスナ３に係合させる場合は、前記分離手順の逆順による。
【００３１】
このように、両出入口ファスナ半体３１、３１の両端に蝶棒３２及び箱棒３３を互いに逆配置で取り付け、尻合わせにした２個のスライダ４、４を出入口ファスナ３に対し着脱自在に係合させることにより、例えばスライダ４が損傷したとき、壊れたスライダ４を簡単に取り外して交換することができる。また、出入口ファスナ３に糸屑が絡み付いたとき、スライダ４を取り外してエレメントやスライダ４を清掃するもの容易になる。しかも、これらの作業には特別な工具や技能を必要としない。
【００３２】
出入口ファスナ３の両端部には、短い帯片状をなすサイドタブ３６が、それぞれ出入口ファスナ３の延長方向に張り出すようにして取り付けられている。これらのサイドタブ３６は、上述のようなスライダ４の移動操作に際して、出入口ファスナ３の端部を指先でしっかりと摘み易くするための部材である。図４（ａ）に、サイドタブ３６の取付形態を拡大して示す。
【００３３】
サイドタブ３６は、例えばポリエステル系繊維のようなコシの強い合成繊維布材等からなり、その基端側が、両出入口ファスナ半体３１、３１を構成する両テープの端部近傍下面に重ねて縫合される。そして、両出入口ファスナ半体３１、３１同士が分離しているときには、サイドタブ３６が、それ自身の幅によって、箱棒３３と蝶棒３２とを数ミリ程度の離間状態に保持し、両出入口ファスナ半体３１、３１同士が噛合しているときには、自身の幅を湾曲させて、箱棒３３と蝶棒３２とを接触状態に保持する。また、両出入口ファスナ半体３１、３１にスライダ４を係脱する際には、サイドタブ３６が出入口ファスナ３の長手方向に適度の自由度をもって撓み変形することによりスライダ４の係脱を可能にする。
【００３４】
さらに、このサイドタブ３６には、出入口ファスナ３の端部に寄せられたスライダ４を被覆するためのカバーフラップ３８が取り付けられている。カバーフラップ３８は、サイドタブ３６と同様の合成繊維布材等からなる短い帯片を利用して形成される。図４（ａ）に示したカバーフラップ３８は、その基端側がサイドタブ３６の上面に重ねて縫合され、自由端側が出入口ファスナ３の端部近傍上面に重ねられて、図４（ａ）中に想像線で示すように、該端部に寄せられたスライダ４の背面を覆う。
【００３５】
出入口ファスナ３は、洗濯・乾燥作業時には閉じられた状態、つまり各スライダ４、４が出入口ファスナ３の両端に寄せられた状態で使用される。したがって、上述のように出入口ファスナ３の両端にて各スライダ４を被覆することにより、洗濯・乾燥作業時に、スライダ４に他の洗濯用ネットが引っ掛かったり、スライダ４が洗濯槽等に衝突して損傷したりといった、スライダ４に起因するトラブルを防ぎやすくなる。カバーフラップ３８の自由端側を捲り上げれば、出入口ファスナ半体３１、３１にスライダ４を係脱させる作業も無理なく行うことができる。
【００３６】
図４（ｂ）は、カバーフラップ３８の他の実施形態を示す。このカバーフラップ３８は、図４（ａ）に示した前記形態よりも長い帯片を利用して形成されている。カバーフラップ３８の基端側（一方の短辺）は、前記形態と同様にサイドタブ３６の上面に重ねて縫合されているが、カバーフラップ３８の自由端側は、前記形態よりも広い範囲で出入口ファスナ３の端部近傍に重なっている。そして、カバーフラップ３８の片側縁（一方の長辺）が、サイドタブ３６の片側縁から、一方の出入口ファスナ半体３１を構成するテープの端部近傍上面にわたって直線的に縫合されており、出入口ファスナ３の端部に寄せられたスライダ４を、より確実に被覆できるようになっている。スライダ４を係脱させる際には、カバーフラップ３８の他側縁（他方の長辺）を捲り上げる。
【００３７】
本発明の洗濯用ネット１は、洗濯物を回収する段階では、詰め込み過ぎを防ぐために原則として袋体２を縮小し、洗濯・乾燥作業時には、洗濯物が袋体２内で移動しやすくなるように袋体２を拡張する、という使い方を想定していることから、袋体２の高さ方向における中間部分に拡縮部２４が設けられる。図１（ａ）に示すように、例示形態にあっては、拡張状態（内容物充填状態）にある袋体２を高さ方向に略３等分したとき、その中段略１／３の筒状部分が拡縮部２４となされている。なお、説明の便宜のため、拡縮部２４よりも上段の部分を口元部２５、拡縮部２４よりも下段の部分を底溜部２６と定める。これら口元部２５、拡縮部２４、底溜部２６の高さ比率は例示形態の比率に限定されるものではなく、実用性を損なわない範囲で適宜改変可能である。
【００３８】
拡縮部２４は、その上端及び下端に設けられた拡縮用ファスナ６を開閉することによって拡縮される。前述した出入口ファスナ３と同様に、この拡縮用ファスナ６にも、両端から開閉可能な逆開きファスナが採用されている。
【００３９】
図５に拡縮用ファスナ６の詳細を示す。拡縮用ファスナ６は、上下一対の拡縮用ファスナ半体６１、６１と、それらを開閉する２個のスライダ４、４とを具備する。各拡縮用ファスナ半体６１は、テープの片側縁に複数個のエレメントを有し、テープの他側縁が、拡縮部２４の上端又は下端に沿って、それぞれ包囲面２１を略一周するように縫い付けられる。各拡縮用ファスナ半体６１におけるエレメント列の一端には、スライダ４のレール４１を通過し得る形状の蝶棒６２が取り付けられ、同エレメント列の他端には、スライダ４のレール４１を通過不能な形状の箱棒６３が取り付けられている。そして、一方の拡縮用ファスナ半体６１の箱棒６３が、他方の拡縮用ファスナ半体６１の蝶棒６２と対をなし、また、一方の拡縮用ファスナ半体６１の蝶棒６２が、他方の拡縮用ファスナ半体６１の箱棒６３と対をなすように、それぞれが互いに逆配置されている。
【００４０】
各スライダ４には、両拡縮用ファスナ半体６１、６１のエレメント列に係合してエレメント同士を噛合・分離させるＹ字状のレール４１（図６参照）が形成されている。また、スライダ４の背面に突設された柱部４２にはスライダ４を移動させるために、着脱式の引手５（後述）が取り付けられている。これらスライダ４及び引手５の構成は、前述の出入口ファスナ３に取り付けられるものと特に差異はないので、共通の符号を付す。
【００４１】
２個のスライダ４、４は、レール４１の閉じる側（エレメント列を噛合させる側）を互いに対向させた、いわゆる尻合わせの向きで、両拡縮用ファスナ半体６１、６１に係合される。したがって、図５（ａ）に示すように、２個のスライダ４、４を、それぞれ拡縮用ファスナ６の一端及び他端に移動させると、拡縮用ファスナ６は全閉となる。
【００４２】
また、同図（ｂ）に示すように、いずれか一方のスライダ４を拡縮用ファスナ６のいずれか一端に寄せて２個のスライダ４、４を近接させると、拡縮用ファスナ６の他端側が開く。例示形態においては、各拡縮用ファスナ半体６１、６１の両端に蝶棒６２と箱棒６３とが互いに逆配置されているので、２個のスライダ４、４が寄せられた当該一端において、一方（当該一端に蝶棒６２が取り付けられているほう：図示下側）の拡縮用ファスナ半体６１の端部を摘んで拡縮用ファスナ６の中央側へずらすと、当該半体６１の一端に取り付けられた蝶棒６２が両スライダ４、４のレール４１を通過して、該半体６１が２個のスライダ４、４から抜き取られる。このとき、他方（図示上側）の拡縮用ファスナ半体６１の当該一端に取り付けられた箱棒６３は、２個のスライダ４、４が当該他方の半体６１から抜け出すのを防ぐストッパとして機能する。こうして、両拡縮用ファスナ半体６１、６１同士も、その全長にわたって完全に分離される。２個のスライダ４、４は、他方（当該一端に箱棒６３が取り付けられているほう：図示上側）の半体に係合した状態で取り残される。
【００４３】
その状態から図５（ｃ）に示すように、２個のスライダ４、４を、それらが係合している他方（図示上側）の拡縮用ファスナ半体６１に沿わせて他端側へと移動させる。当該半体６１の他端に取り付けられているのはスライダ４、４のレール４１を通過可能な蝶棒６２であるから、２個のスライダ４、４は、その蝶棒６２から抜け出して、拡縮用ファスナ６から完全に分離される。２個のスライダ４、４を拡縮用ファスナ６に係合させる場合は、前記分離手順の逆順による。
【００４４】
このような拡縮用ファスナ６の構成と、その操作により、拡縮部２４を拡縮させて袋体２の容積を変化させることができる。拡縮部２４を縮小したとき、拡縮部２４の周面を構成する網材は、拡縮部２４の内側に畳み込まれる（図２参照）。
【００４５】
そして、洗濯・乾燥作業時には、拡縮用ファスナ６を完全に分離させて、洗濯物の移動性を高めることができる。とりわけ、本発明によれば、両拡縮用ファスナ半体６１、６１が拡縮部２４の周面略一周にわたって取り付けられ、これらを開くと両半体６１、６１が完全に分離されるから、拡張状態における拡縮部２４の周面は網材だけの簡素な構成となる。つまり、前記従来の洗濯用ネット９のように、拡縮用ファスナ９７の始端側が包囲面９１の略半周分、延長されて、拡縮部９６の中間付近で互いに漸近するような構成とはならないので、拡縮用ファスナ６の開閉操作に要する距離が従来よりも短くて済むとともに、袋体２の周面全体にわたって袋体２の保形性や柔軟性が均等に確保され、洗濯・乾燥作業時の効率が、さらに改善される。
【００４６】
さらに、拡縮用ファスナ６を分離するとスライダ４、４も取り外せるので、洗濯・乾燥作業中にスライダ４が他の洗濯用ネットの網目に引っ掛かったり、洗濯槽等に衝突して摺動操作が困難になったり、あるいはスライダ４の引手５が外れてしまったり、といったスライダ４に起因する種々のトラブルも回避することができる。もちろん、洗濯・乾燥作業時以外での操作等によってスライダ４に損傷やトラブルが生じた場合は、そのスライダ４の交換や清掃を、上述した出入口ファスナ３と同様にして簡単に行うことができる。
【００４７】
ただし、袋体２内に回収された洗濯物が少量の場合には、拡縮部２４を縮小したままの状態で洗濯・乾燥作業を行うことがある。また、拡縮部２４を拡張する場合でも、分離させた拡縮用ファスナ６の一方の半体６１にスライダ４、４を係合させたままで洗濯・乾燥作業を行う可能性がある。そこで、例示形態に係る洗濯用ネット１には、このような使い方に備えて、拡縮用ファスナ６に係合されるスライダ４、４を被覆するスカートフラップ２７が設けられている。
【００４８】
スカートフラップ２７は、図２に断面構造を拡大して示すように、袋体２の口元部２５を構成する網材の下縁を延長して、その延長部分を外側に張り出し、該張出部分を内側に折り返して形成される。折り返された部分の網材は、さらに拡縮用ファスナ６の上側半体６１を構成するテープの上縁を包むように反転されて、それらの重合部分が、該半体６１の外側に重ねられるバイアステープ２８とともに縫合される。こうして、拡縮部２４の上端に、拡縮部２４の略全周にわたって拡縮用ファスナ６を被覆するスカートフラップ２７が形成される。
【００４９】
拡縮用ファスナ６の上側半体６１に縫合された網材は、内側に延長されて拡縮部２４の包囲面２１を構成し、さらに拡縮用ファスナ６の下側半体６１を包むように折り返されて、それらの重合部分が、該半体６１の外側に重ねられるバイアステープ２９とともに縫合される。拡縮用ファスナ６の下側半体６１からさらに下方へと延長される網材は、底溜部２６の包囲面２１を構成する。
【００５０】
このようなスカートフラップ２７を拡縮部２４の外周に沿って設けることにより、閉じられた状態にある拡縮用ファスナ６の外面を被覆して、他の洗濯用ネット等が拡縮用ファスナ６のスライダ４等に引っ掛かるのを防ぐことができる。また、拡縮用ファスナ６が分離した状態においても、その上側半体にスライダ４が係合されていれば、それを被覆して、スライダ４に起因する引っ掛かり等のトラブルを防ぐことができるとともに、洗濯・乾燥作業時の外力等によって当該スライダ４が不用意に当該半体６１から抜け出す方向へ移動してしまうことも防ぎ易くなる。
【００５１】
図６は、出入口ファスナ３及び拡縮用ファスナ６のスライダ４に取り付けられる、着脱式の引手５の概略構成を示す。
【００５２】
この引手５は、先端にフック５１を有する本体５２と、該フック５１を開閉させる可動部材５３とを組み合わせて構成される。本体５２は、上面視略長方形状の金属板からなり、先端に略Ｌ字状のフック５１が形成されている。本体５２の上面中央部分には本体５２の長手方向に延びる凹部５４が形成されて、この凹部５４内に可動部材５３が嵌め込まれる。
【００５３】
可動部材５３は、やや弾性変形可能な合成樹脂からなり、その先端には短爪部５５、後端上面には断面略半円形状の指掛部が形成されている。可動部材５３の下面には係合片（図示せず）が突設され、その係合片が本体５２の凹部５４に形成された溝孔５６に係合することにより、本体５２に対し可動部材５３が長手方向に摺動し得るように保持される。本体５２と可動部材５３との当接面には互いに係合する適宜の小突起（図示せず）やバネ片５７等が形成されて、可動部材５３がその摺動範囲の両端にて係止されるようになっている。
【００５４】
本体５２のフック５１をスライダ４の柱部４２に掛着した状態で、図６（ａ）に示すように、可動部材５３を本体５２の先端側に摺動させると、可動部材５３の短爪部５５が本体５２のフック５１を閉じて引手５がスライダ４から離れなくなり、この引手５を持ってスライダ４を移動させることができる。また、図６（ｂ）に示すように、可動部材５３を本体５２の後端側に摺動させると、可動部材５３の短爪部５５が本体５２のフック５１から離れて、この引手５をスライダ４の柱部４２から取り外すことができる。
【００５５】
なお、この実施形態は、スライダ４に対して引手５を着脱可能にする構成の一例を示したものであるが、本発明における引手５の構成は、これに限定されるものではなく、例えばナスカンのような部材をはじめとする従来公知の着脱機構も利用可能である。
【００５６】
このような構成によってスライダ４の引手５を着脱自在とすれば、以下のような使い勝手が得られる。すなわち、出入口ファスナ３に関しては、洗濯・乾燥作業時に各スライダ４、４が両端に寄せられて、出入口ファスナ３が閉じた状態になる。この状態で出入口ファスナ３の各スライダ４、４から引手５を取り外せば、洗濯・乾燥作業中に、引手５に他の洗濯用ネットが引っ掛かったり、作業時の衝撃で引手５が損傷したりするするなどのトラブルを回避することができる。
【００５７】
一方、拡縮用ファスナ６については、洗濯物の回収に際し、洗濯物の詰め込み過ぎを防ぐために予め拡縮用ファスナ６を閉じた状態で、洗濯用ネット１を利用者に預ける。このときに拡縮用ファスナ６の各スライダ４、４から引手５を取り外しておけば、利用者が勝手に拡縮用ファスナ６を開いて洗濯物を詰め込み過ぎてしまうことを回避することができる。
【００５８】
このような着脱式の引手５に併せて、出入口ファスナ３及び拡縮用ファスナ６のいずれか又は両方に、いわゆるオートマチックスライダ（自動停止機能付スライドファスナ用スライダ）を利用するのも好ましい。オートマチックスライダとは、スライダの胴体内にスライダの移動を拘束するロック機構（図６中の符号４３）が内蔵されており、引手５を引っ張るとロックが解除されて移動可能になるスライダである。その種のスライダ４に着脱式の引手５を組み合わせれば、引手５を外すとスライダ４の移動がロックされてしまうので、利用者が勝手にファスナを開閉することを、より確実に防止することができる。
【符号の説明】
【００５９】
１  洗濯用ネット
２  袋体
２４  拡縮部
２７  スカートフラップ
３  出入口ファスナ
３１  出入口ファスナ半体
３２  蝶棒
３３  箱棒
３６  サイドタブ
３８  カバーフラップ
４  スライダ
５  引手
６  拡縮用ファスナ
６１  拡縮用ファスナ半体
６２  蝶棒
６３  箱棒
【図１】
2011234857.tif 000003
【図２】
2011234857.tif 000004
【図３】
2011234857.tif 000005
【図４】
2011234857.tif 000006
【図５】
2011234857.tif 000007
【図６】
2011234857.tif 000008
【図７】
2011234857.tif 000009